(57)【要約】【課題】外装材の端部同士を接着して構成した外装パネルにおいて、接着部を隠すように塗装する塗装部分にクラックが発生するのを防止できる。【解決手段】セメント系の平板状の外装材１の端面同士を接着して水平断面Ｌ状のコーナ外装パネル２を構成する。コーナ外装パネル２の出隅部分に外装材１同士を接着している接着部３を跨ぐように面取りした出隅面取り部４を形成する。該出隅面取り部４の表面に接着部３を跨ぐようにシーラ５、弾性パテ６、弾性塗料７、上塗り塗料８の順に塗布する。【選択図】        図１
2004148141.tif 000002
【特許請求の範囲】
【請求項１】
セメント系の平板状の外装材の端面同士を接着して水平断面Ｌ状のコーナ外装パネルを構成し、コーナ外装パネルの出隅部分に外装材同士を接着している接着部を跨ぐように面取りした出隅面取り部を形成し、該出隅面取り部の表面に接着部を跨ぐようにシーラ、弾性パテ、弾性塗料、上塗り塗料の順に塗布して成ることを特徴とする外装材の接着部の外面における塗装構造。
【発明の詳細な説明】
【０００１】
【発明の属する技術分野】
本発明は、ＡＬＣ板のようなセメント系の外装材を接着して構成した外装パネルにおいて、外装材の接着部の外面における塗装構造に関するものである。
【０００２】
【従来の技術】
従来から建物の出隅コーナ部分に配設する外装パネル２’として、図３に示すような水平断面Ｌ状をしたＡＬＣパネルよりなるコーナ外装パネル２’が知られている。（例えば、特許文献１参照）
また、図４に示すように、建物の出隅部分にセメント系材料により形成した平板状の外装材１’の端部のカット面同士を現場で直角となるように突き合わせて配置し、両外装材１’の端部のカット面の突き合わせ部分の表面側間にコーキング材１０を充填するものが知られている。（例えば、特許文献２参照）
【０００３】
【特許文献１】
特開平４−３１２６４９号公報
【特許文献２】
特開平４−３３６１５９号公報
【０００４】
【発明が解決しようとする課題】
ところが、上記特許文献１のものは水平断面Ｌ状のコーナ外装パネル２’がＡＬＣパネルにより一体に形成してあるので、平板状のＡＬＣパネルに比べて製造し難いという問題があり、特に、表面に凹凸模様がある水平断面Ｌ状のコーナ外装パネル２’は製造がし難いものであり、製造コストも高くなるという問題があった。
【０００５】
また、上記特許文献２のものは現場でセメント系材料により形成した平板状の外装材１’の端部のカット面同士を現場で直角となるように突き合わせて配置し、両外装材１’の端部のカット面の突き合わせ部分の表面側間にコーキング材１０を充填するので、現場で平板状の外装材１’を直角に突き合わせ施工する工程、コーキング材１０を充填する工程が必要で、現場作業が煩雑となるという問題があり、更に、現場において平板状の外装材１’を直角に突き合わせる施工を行うため、現場施工のばらつきにより平板状の外装材１’同士を直角に突き合わせた部分の出隅部分に段差が生じたりして外観が悪くなり、また、突き合わせ部分にコーキング材１０を充填するものであるからコーキング材１０の充填充部分にクラックや隙間が生じると内部に雨水が浸透するおそれがある。
【０００６】
そこで、本発明者はセメント系の外装材の端面同士を接着して水平断面Ｌ状をしたコーナ外装パネルを形成することを考えた。これだと、工場で平板状の外装材を形成し、この平板状の外装材の端面同士を工場で接着することで水平断面Ｌ状をした外装パネルを形成することができ、このように工場で水平断面Ｌ状に形成した外装パネルは、現場施工が容易にでき、しかも、工場では平板状の外装材を形成し、この平板状の外装材の端面同士を接着することで製造できるので、製造も容易である。ところが、このような平板状の外装材の端面同士を接着するものにおいては、水平断面Ｌ状に形成した外装パネルの出隅部分に接着部が露出して見苦しく、また、平板状の外装材の端面同士を突き合わせて接着する際の突き合わせ誤差等により出隅部分に段差が生じ、この点でも外観が良くないという問題があり、更に、接着部を隠すために表面側において接着部を含めて塗装を行うものにおいては、この塗装した部分に接着部に沿ってクラックが発生して外観が悪くなるという事態が生じ得ることが判明した。
【０００７】
本発明は上記の点に鑑みてなされたものであり、外装材の端部同士を接着して構成した外装パネルにおいて、接着部を隠すように塗装する塗装部分にクラックが発生するのを防止できる外装材の接着部の外面における塗装構造を提供することを課題とするものである。
【０００８】
【課題を解決するための手段】
上記課題を解決するために本発明に係る外装材の接着部の外面における塗装構造は、セメント系の平板状の外装材１の端面同士を接着して水平断面Ｌ状のコーナ外装パネル２を構成し、コーナ外装パネル２の出隅部分に外装材１同士を接着している接着部３を跨ぐように面取りした出隅面取り部４を形成し、該出隅面取り部４の表面に接着部３を跨ぐようにシーラ５、弾性パテ６、弾性塗料７、上塗り塗料８の順に塗布して成ることを特徴とするものである。
【０００９】
このような構成とすることで、水平断面Ｌ状のコーナ外装パネル２をあらかじめ工場で製造できて、現場では建物の出隅部分に水平断面Ｌ状のコーナ外装パネル２を施工するのみでよくて、現場施工性が向上すると共に建物の出隅部分の収まりが良くなるのみならず、コーナ外装パネル２の出隅部分に外装材１同士を接着している接着部３を跨ぐように面取りした出隅面取り部４を形成することで、出隅部分において段差が生じないものであり、またこの出隅面取り部４に塗装仕上げして外装材１同士を接着している接着部３が見えないようにして外観を高めることができ、しかも、この出隅面取り部４の表面に接着部３を跨ぐようにシーラ５、弾性パテ６、弾性塗料７、上塗り塗料８の順に塗布することで、弾性パテ６、弾性塗料７により外装材１同士の接着部における伸縮と上塗り塗料８の伸縮の差を吸収して、塗装部分にクラックが発生しないようにできるものである。
【００１０】
【発明の実施の形態】
以下、本発明を添付図面に示す実施形態に基づいて説明する。
【００１１】
外装材１は平板状をしていてＡＬＣのようなセメント系のものであり、表面に模様、目地用凹部等が形成してあり、更に、表面に塗装が施してあって、表面塗装部１１を形成してある。この平板状をした外装材１の一端面は表面に対して斜め４５°に傾斜した傾斜端面９となっており、平板状をした外装材１の傾斜端面９同士を突き合わせて接着剤により接着することで水平断面Ｌ状のコーナ外装パネル２が構成してある。
【００１２】
このコーナ外装パネル２の出隅部分は外装材１同士を接着した後、コーナ外装パネル２の出隅部分において接着部３の出隅側縁部を跨ぐように面取りしてあって出隅面取り部４となっている。このように、外装材１同士を接着している接着部３の出隅側縁部を跨ぐように出隅面取り部４を形成することで、外装材１の傾斜端面９同士を突き合わせ接着する際に出隅部に段差が発生してもこれを面取りすることで無くすことができるものである。
【００１３】
上記コーナ外装パネル２の出隅部分に外装材１同士を接着している接着部３を跨ぐように形成した出隅面取り部４においては外装材１の表面に形成した表面塗装部１１が面取りにより除去されて外装材１の生地がそのまま露出することとなるが、この出隅面取り部４の表面には接着部３の出隅側縁部を跨ぐように塗装層１０が形成してある。この塗装層１０は出隅面取り部４の表面に接着部３の出隅側縁部を跨ぐようにシーラ５を塗り、更にその上に弾性パテ６を塗り、更にその上に弾性塗料７を塗り、更にその上に上塗り塗料８を塗って出隅面取り部４の表面の塗装仕上げを行うことで図２に示すような塗装層１０を形成してある。この塗装層１０の両端は既に外装材１の表面に形成している表面塗装層１１の表面端部に重ねるように形成するのが好ましい。
【００１４】
上記の構成の水平断面Ｌ状のコーナ外装パネル２はあらかじめ工場で製造されて現場に搬送されるものであり、現場においては、建物の壁の出隅コーナ部分に配置されて取付け施工されるものである。建物の壁の他の部分、つまり、コーナ部でない平坦な部分には別の平板状の外装材が施工される。ここで、建物の壁の出隅コーナ部分に水平断面Ｌ状のコーナ外装パネル２を配置して取付け施工するので、従来のような、平板状の外装材１’の端部のカット面同士を現場で直角となるように突き合わせて配置し、両外装材１’の端部のカット面の突き合わせ部分の表面側間にコーキング材１０を充填するという従来例に比べて、現場施工が簡略化できるものである。
【００１５】
しかして、上記のような構成のコーナ外装パネル２において、外装材１同士の接着部における伸縮と上塗り塗料８の伸縮の差が生じた場合に塗装層１０にクラックが発生しようとするが、本発明においては、この伸縮の差を弾性パテ６と弾性塗料７とにより２段階で吸収できて、塗装層１０にクラックが発生しないようにできて、長期間にわたってコーナ外装パネル２の出隅部分の外観低下が生じないようにでき、また、コーナ外装パネル２の出隅部分からの水の浸透を防止できるものである。
【００１６】
【発明の効果】
上記のように本発明の請求項１記載の発明にあっては、セメント系の平板状の外装材の端面同士を接着して水平断面Ｌ状のコーナ外装パネルを構成し、コーナ外装パネルの出隅部分に外装材同士を接着している接着部を跨ぐように面取りした出隅面取り部を形成し、該出隅面取り部の表面に接着部を跨ぐようにシーラ、弾性パテ、弾性塗料、上塗り塗料の順に塗布してあるので、水平断面Ｌ状のコーナ外装パネルを平板状の外装剤の接着という簡単な構成であらかじめ工場で製造できて製造が容易となり、現場では建物の出隅部分に水平断面Ｌ状のコーナ外装パネルを施工するのみでよくて、現場施工性が向上すると共に建物の出隅部分の収まりが良くなるものである。しかも、コーナ外装パネルの出隅部分に外装材同士を接着している接着部を跨ぐように面取りした出隅面取り部を形成するので、平板状の外装材の端面同士を接着して水平断面Ｌ状のコーナ外装パネルを形成したと言えども出隅部分において段差が生じないものであり、またこの出隅面取り部に塗装仕上げして外装材同士を接着している接着部が見えないようにして外観を高めることができるものであり、しかも、この出隅面取り部の表面に接着部を跨ぐようにシーラ、弾性パテ、弾性塗料、上塗り塗料の順に塗布することで、弾性パテ、弾性塗料により外装材同士の接着部における伸縮と上塗り塗料の伸縮の差を吸収して、塗装部分にクラックが発生しないようにできて、長期間にわたってコーナ外装パネルの出隅部分の外観が低下しないようにできると共に出隅部分からの雨水の浸透を防止できるものである。
【図面の簡単な説明】
【図１】本発明のコーナ外装パネルの斜視図である。
【図２】（ａ）は同上のコーナ外装パネルの出隅部分の拡大断面図であり、（ｂ）は（ａ）のＸ部分の更に拡大断面図である。
【図３】従来例の断面図である。
【図４】他の従来例の断面図である。
【符号の説明】
１  外装材
２  コーナ外装パネル
３  接着部
４  出隅面取り部
５  シーラ
６  弾性パテ
７  弾性塗料
８  上塗り塗料
【図１】
2004148141.tif 000003
【図２】
2004148141.tif 000004
【図３】
2004148141.tif 000005
【図４】
2004148141.tif 000006